(57)【要約】【課題】ユーザ自身が配線器具や電子機器を自由な位置に取り付けて使用できる配線システムを提供する。【解決手段】差込接続部１は、造営面（床材１０２）に開口した接続用孔２ａと、配線器具モジュール１０ａ，１０ｂ，１０ｃで使用される電力および情報信号の伝送路をそれぞれ構成する複数系統の電線にそれぞれ電気的に接続されるとともに接続用孔２ａ内で異なる位置に配設された複数種類のジャック側端子（コンタクト３，４および同軸コネクタ７）を備える。配線器具モジュール１０ａ，１０ｂ，１０ｃは、差込接続部１の接続用孔２ａに挿抜自在に挿入される定形化された突起部１３と、突起部１３が接続用孔２ａに挿入された際に複数種類のジャック側端子のうち当該モジュールで使用する電力および情報信号の少なくとも何れか一方に対応するジャック側端子のみに電気的に接続されるプラグ側端子（端子片１４，１５および同軸コネクタ）を備える。【選択図】図１
2008270051.tif 000002
【特許請求の範囲】
【請求項１】
造営面に設けた定形化された複数の差込接続部と、造営面の表側から複数の差込接続部のうちの何れにも選択的に差込接続可能な配線器具モジュール又は電子機器モジュールとで構成される配線システムであって、
各差込接続部は、造営面に開口した接続用孔と、配線器具モジュールおよび電子機器モジュールで使用される電力および情報信号の伝送路をそれぞれ構成する複数系統の電線にそれぞれ電気的に接続されるとともに接続用孔内で異なる位置に配設された複数種類のジャック側端子とを備え、
配線器具モジュールまたは電子機器モジュールは、差込接続部の接続用孔に挿抜自在に挿入される定形化された差込部と、差込部に設けられ差込部が接続用孔に挿入された際に複数種類のジャック側端子のうち当該モジュールで使用する電力および情報信号の少なくとも何れか一方に対応するジャック側端子のみに電気的に接続されるプラグ側端子とを備えることを特徴とする配線システム。
【請求項２】
配線器具モジュールは、用途毎に定形化された差込プラグが挿抜自在に接続されるプラグ接続部を備えることを特徴とする請求項１記載の配線システム。
【請求項３】
差込部が、配線器具モジュールまたは電子機器モジュールの器体における造営面との対向面に突設された棒状の突起部からなることを特徴とする請求項１又は２の何れかに記載の配線システム。
【請求項４】
複数種類のジャック側端子が、差込部の差込方向において異なる深さ位置にそれぞれ設けられたことを特徴とする請求項１乃至３の何れか１項に記載の配線システム。
【請求項５】
複数種類のジャック側端子が、ＬＡＮ用接続端子、同軸ケーブル用接続端子、電力用接続端子のうちの複数種類を備えることを特徴とする請求項１乃至４の何れか１項に記載の配線システム。
【発明の詳細な説明】
【技術分野】
【０００１】
本発明は、配線システムに関するものである。
【背景技術】
【０００２】
従来、例えば壁面に固定された取付枠を用いて、大角形連用配線器具を壁面に配設する配線システムが提案されている（例えば、特許文献１参照）。
【０００３】
また、従来の配線システムとして、例えば天井面に照明器具や火災感知器やカメラ装置などの電子機器を設置するものが従来より提供されている（例えば、特許文献１参照）。
【特許文献１】特開２００６−２０５４５１号公報
【発明の開示】
【発明が解決しようとする課題】
【０００４】
上述の配線システムでは、配線器具や電子機器を予め決められた場所に取り付けているので、ユーザ自身が自由な位置に配線器具や電子機器を取り付けて使用することができなかった。また配線器具や電子機器の種類によって、必要な電力や送受する情報信号が異なるため、必要な電力を受給するための電線や情報信号を授受するための電線が配線された場所にしか、配線器具や電子機器を設置することができず、配線器具や電子機器の種類によって取付場所が制約をされ、必要な種類の配線器具あるいは電子機器を必要な場所に設置することができないという問題もあった。
【０００５】
本発明は上記問題点に鑑みて為されたものであり、その目的とするところは、ユーザ自身が配線器具や電子機器を自由な位置に取り付けて使用できる配線システムを提供することにある。
【課題を解決するための手段】
【０００６】
上記目的を達成するために、請求項１の発明は、造営面に設けた定形化された複数の差込接続部と、造営面の表側から複数の差込接続部のうちの何れにも選択的に差込接続可能な配線器具モジュール又は電子機器モジュールとで構成される配線システムであって、各差込接続部は、造営面に開口した接続用孔と、配線器具モジュールおよび電子機器モジュールで使用される電力および情報信号の伝送路をそれぞれ構成する複数系統の電線にそれぞれ電気的に接続されるとともに接続用孔内で異なる位置に配設された複数種類のジャック側端子とを備え、配線器具モジュールまたは電子機器モジュールは、差込接続部の接続用孔に挿抜自在に挿入される定形化された差込部と、差込部に設けられ差込部が接続用孔に挿入された際に複数種類のジャック側端子のうち当該モジュールで使用する電力および情報信号の少なくとも何れか一方に対応するジャック側端子のみに電気的に接続されるプラグ側端子とを備えることを特徴とする。
【０００７】
請求項２の発明は、請求項１の発明において、配線器具モジュールは、用途毎に定形化された差込プラグが挿抜自在に接続されるプラグ接続部を備えることを特徴とする。
【０００８】
請求項３の発明は、請求項１又は２の発明において、差込部が、配線器具モジュールまたは電子機器モジュールの器体における造営面との対向面に突設された棒状の突起部からなることを特徴とする。
【０００９】
請求項４の発明は、請求項１乃至３の何れか１つの発明において、複数種類のジャック側端子が、差込部の差込方向において異なる深さ位置にそれぞれ設けられたことを特徴とする。
【００１０】
請求項５の発明は、請求項１乃至４の何れか１つの発明において、複数種類のジャック側端子が、ＬＡＮ用接続端子、同軸ケーブル用接続端子、電力用接続端子のうちの複数種類を備えることを特徴とする。
【発明の効果】
【００１１】
請求項１の発明によれば、配線器具モジュール或いは電子機器モジュールの差込部を何れかの差込接続部の接続用孔に挿入すると、差込部に設けた複数のプラグ側端子が複数のジャック側端子にそれぞれ電気的に接続されるので、配線器具モジュール或いは電子機器モジュールと差込接続部の間を電気的に接続することができる。さらに、差込接続部の複数のジャック側端子は、配線器具モジュールおよび電子機器モジュールで使用される電力および情報信号の伝送路を構成する複数系統の電線にそれぞれ電気的に接続されているので、配線器具モジュールまたは電子機器モジュールを、種類の違いに関わらず何れの差込接続部にも差込接続して使用することができる。したがって、ユーザ自身が、所望の場所に設置された差込接続部に、所望の種類の配線器具モジュールまたは電子機器モジュールを取り付けて使用することができるという効果がある。
【００１２】
請求項２の発明によれば、用途毎に定形化されたプラグ接続部に対応する差込プラグを接続することができるという効果がある。
【００１３】
請求項３の発明によれば、配線器具モジュールおよび電子機器モジュールの器体に比べて突起部を小さくすることで、突起部が挿入される接続用孔の大きさを小さくできるので、接続用孔を部屋内で目立たないように設置できるという効果がある。
【００１４】
請求項４の発明によれば、電力あるいは情報信号の種類毎にジャック側端子を異なる深さ位置に配置しているので、種類の異なるジャック側端子の間の絶縁性を向上させることができる。
【００１５】
請求項５の発明によれば、ＬＡＮ用、同軸ケーブル用、又は電力用接続端子のうちの複数種類の配線器具モジュールを実現することができる。
【発明を実施するための最良の形態】
【００１６】
以下に本発明の実施の形態を図面に基づいて説明する。
【００１７】
本発明に係る配線システムの概略構成を図４に示す。この配線システムでは、分電盤３０の本体３０ａ内に、リミッター３１、主幹ブレーカ３２、分岐ブレーカ３３などの商用交流電力系の内器と、電力変換部３４、バックアップ電源用のバッテリユニット３５、および後述する各種の通信ユニット３７（３７ａ、３７ｂ…），３８を配設している。また、本配線システムでは、建物の部屋Ｒ１，Ｒ２…内の適所に複数の差込接続部１を設けている。各差込接続部１の間は造営材（天井材や床材）の裏側に先行配線された電線４１，４２，４３を介して送り配線されており、ＬＡＮなどの通信信号の伝送路を構成する電線４１を介して分電盤３０内の通信ユニット３７（３７ａ，３７ｂ）に電気的に接続されるとともに、交流電圧の伝送路を構成する電線４２を介して分岐ブレーカ３３に電気的に接続され、さらに映像信号の伝送路を構成する電線４３を介して分配器４０に電気的に接続されている（図２及び図４参照）。
【００１８】
分電盤３０の本体３０ａ内に引き込まれた、例えば単相３線の商用交流電源の電力線は、リミッター３１を介して主幹ブレーカ３２に接続され、主幹ブレーカ３２の負荷側のＬ１、Ｌ２、Ｎの各極に対応した端子にはそれぞれ導電バー３６ａの一端が接続され、Ｎ極の導電バー３６ａと、Ｌ１又はＬ２の極の導電バー３６ａに各分岐ブレーカ３３のプラグイン式の電源側端子部（図示せず）が接続されて各分岐ブレーカ３３によって屋内電力線が分岐配線されるようになっている。なお分岐ブレーカ３３のプラグイン式の電源接続部は従来周知の構成を用いれば良いので、この構成の図示及び説明は省略する。また各導電バー３６ａは本体３０ａの正面方向から見て重なるように配設されているため、図４では一条に見えている。
【００１９】
電力変換部３４の電源入力端には導電バー３６ａが接続されて、商用交流電力が供給されるようになっており、電力変換部３４により商用交流電源を整流平滑して、所定電圧値の直流電圧に変換し、通信ユニット３７ａ，３７ｂなどに直流電力を供給するようになっている。
【００２０】
電力変換部３４は、図４において、右側部に設けた正、負の各極に対応した直流電力出力端子部（図示せず）に直流給電路用の導電バー３６ｂの一端を接続してある。ここで正、負の各極の直流給電路用導電バー３６ｂは正面方向から見て重なるように配設されているため、図４では一条に見えている。
【００２１】
この導電バー３６ｂの上下両側には各種の通信ユニット３７（３７ａ、３７ｂ）を配設してある。各種の通信ユニット３７（３７ａ、３７ｂ）は導電バー３６ｂ側の端部に設けた電源入力用のプラグイン接続部に導電バー３６ｂを挿入して、導電バー３６ｂに接離自在に接続するようになっている。尚、各通信ユニット３７のプラグイン接続部は、プラグイン式の分岐ブレーカ３３の電源接続部と同様の構成を有しているので、この構成の図示及び説明は省略する。
【００２２】
ここで、通信ユニット３７ａはインターネットＮＴに通信網を介して接続するモデム、ルータ、更にローカルネットワークＬＡＮに接続するためのハブ等のネットワーク通信機能部を備えたＷＡＮ用の通信ユニットである。また通信ユニット３７ｂは、汎用通信或いはＬＡＮ等のネットワークに対応した通信ユニットであり、電線４１を介して分電盤３０外に設けた通信系の配線器具モジュール１０が接続される。
【００２３】
また通信ユニット３８には、導電バー３６ａと分岐ブレーカ３３と電線４２と差込接続部１とを介して、分電盤３０外に設けた種々の配線器具モジュール１０および電子機器モジュール２０が接続されており、分岐ブレーカ３３を介して電力供給を受ける配線器具モジュール１０や電子機器モジュール２０との間で交流電圧に重畳して情報信号を伝送することで、情報信号の授受を行う機能を備えている。なお通信ユニット３８では、例えば情報信号の種類に応じて重畳させる信号の周波数帯域を分けることで複数種類の情報信号の送受信を行うことができる。
【００２４】
分配器４０は建物の適所に設けられ、電線４３を介して接続された映像系の配線器具モジュール１０に、映像信号を分配する。
【００２５】
ところで、差込接続部１に接続される配線器具モジュール１０としては、商用電源のコンセントなどの電力系の配線器具モジュール（例えば電源コンセント型の配線器具モジュール１０ａ，１０ｄなど）と、例えば電話やＬＡＮなどの信号の授受に用いられる通信系の配線器具モジュール（例えばＬＡＮコンセント型の配線器具モジュール１０ｂなど）と、ＴＶなどの映像信号の授受に用いられる映像系の配線器具モジュール（例えばＴＶコンセント型の配線器具モジュール１０ｃなど）がある。
【００２６】
また電子機器モジュール２０にも機能の違いに応じて種々のモジュールが存在する。図５（ａ）は電子機器モジュール２０の概略的なブロック図であり、後述する差込接続部１のコンタクト３，３に接続される端子片１４，１４を備え、差込接続部１から端子片１４，１４を介して供給される交流電源を所望の電圧値の直流電源に変換して内部回路に供給するＡＣ／ＤＣコンバータ７１と、所望の機能を実現するための機能部７２と、差込接続部１を介して供給される直流電源に重畳されて送信されてきた情報信号を分離して後述の制御部７４に出力する信号分離部７３ａ、および、制御部７４から入力された情報信号を直流電源に重畳して差込接続部１に出力する信号重畳部７３ｂを有する搬送通信部７３と、機能部７２などの動作を制御する制御部７４とを備えている。機能部７２は電子機器モジュール２０が備える機能に対応して設けられ、例えば煙感知器型の電子機器モジュール２０ｂの場合には、図５（ｂ）に示すように煙センサ７２ａと、煙センサ７２ａの煙検知信号を増幅して制御部７４に出力する検知信号出力部７２ｂと、警報音を出力する警報音発生部７２ｃなどから機能部７２が構成される。また、ＬＥＤ照明型の電子機器モジュール２０の場合には、図５（ｃ）に示すようにＬＥＤ７２ｄと、ＬＥＤ７２ｄに点灯電力を供給する点灯回路部７２ｅとで機能部７２が構成される。
【００２７】
ここで、煙感知器型の電子機器モジュール２０ｂは、煙センサ７２ａが検出対象となる火災（煙）を検知し、検知信号出力部７２ｂから制御部７４に検知信号が出力されると、制御部７４が、搬送通信部７３を制御して信号重畳部７３ｂから対応する通信ユニット３７ｂに煙検知信号を発報する機能や、警報音発生部７２ｃから警報音を発生させる機能を備えており、通信ユニット３７ｂの制御部５３は、搬送通信部５２を介して煙検知信号を受け取ると、予め連系関係が設定されている通信ユニット３７ａ，３７ｂを連系動作させるための連系関係情報を生成し、当該連携関係情報を搬送通信部５２から通信ユニット３７ａ，３７ｂへ搬送信号により送信させる検出情報処理を行うようになっている。またＬＥＤ照明型の電子機器モジュール２０では、対応する通信ユニット３７ｂから送信された点灯信号を搬送通信部７３が受信すると、制御部７４が点灯回路部７２ｅを制御してＬＥＤ７２ｄを点灯させるとともに、対応する通信ユニット３７ｂから送信された消灯信号を搬送通信部７３が受信すると、制御部７４が点灯回路部７２ｅを制御してＬＥＤ７２ｄを消灯させるようになっている。
【００２８】
次に、差込接続部１と配線器具モジュール１０或いは電子機器モジュール２０との接続構造について説明を行う。
【００２９】
差込接続部１は、図３に示すように部屋Ｒ（Ｒ１，Ｒ２…）内の造営材（例えば天井材１０１、床材１０２および壁材１０３）に略一定の間隔で網目状に複数配設されている。図６（ａ）は差込接続部１の断面図、図６（ｂ）は差込接続部１の平面図であり、差込接続部１は、後述する配線器具モジュール１０或いは電子機器モジュール２０の突起部１３，２３が挿抜自在に差込接続される接続用孔２ａが前面に開口した本体ケース２を備えている。
【００３０】
接続用孔２ａは円柱を軸方向に沿う並行２面で切断したような形状に形成されており、開口側の内周面には、接続用孔２ａの中心軸を挟んで対角の位置（図６（ｂ）の左右両側部）に凹溝２ｂ，２ｂが設けられ、各凹溝２ｂ，２ｂ内に交流電力の伝送路となる電線４２に電気的に接続された一対のコンタクト３，３が配設されている。また接続用孔２ａの底部には、映像信号を授受するための同軸コネクタ７が配設されている。そして、接続用孔２ａの軸方向中間部（コンタクト３，３と同軸コネクタ７との間）には図６（ｂ）の前後両側面に、通信信号の伝送路となる電線４１に電気的に接続された８極のコンタクト４が、各々の側面に４個ずつ配列されている。また本体ケース２の下側部には、電線４１，４２が接続される速結端子構造の接続端子（図示せず）が配設されており、この接続端子と上記のコンタクト３，４の間を電気的に接続する導電部材が本体ケース２の内部に収納されている。なお差込接続部１には、接続用孔２ａ内に差込接続された突起部１３，２３を弾性的に引掛係止する係止手段（図示せず）などを設けてあり、天井材１０１に配設した差込接続部１に接続された配線器具モジュール１０或いは電子機器モジュール２０がその自重によって落下することがないようになっている。
【００３１】
本実施形態ではジャック側端子として、電力系のコンタクト３と、通信系のコンタクト４と、映像系の同軸コネクタ７とを備えており、接続用孔２ａの開口側から電力系の一対のコンタクト３、通信系の８極のコンタクト４、映像系の同軸コネクタ７の順番でジャック側端子を配設してある。ここで、電力系の一対のコンタクト３と、通信系の８極のコンタクト４とは接続用孔２ａの別々の面に配置され、コンタクト３とコンタクト４との間には十分距離を開けてあるので、コンタクト３，４間の絶縁を確保することができる。また電力系のコンタクト３，３は、接続用孔２ａの内周面に設けた凹溝２ｂ内に配置されているので、沿面距離を確保して絶縁性能を向上させることができる。
【００３２】
次に配線器具モジュール１０および電子機器モジュール２０について図１および図７〜図１２に基づいて説明する。
【００３３】
まず、電力系の配線器具モジュールについて、図８に示すＡＣ１００Ｖ用のコンセントからなる配線器具モジュール１０ａを例に説明する。なお、コンセント部が異なる以外は他の電力系の配線器具モジュール１０も同様の構成を有しているので、その説明は省略する。
【００３４】
配線器具モジュール１０ａは、低背の円柱を平行する２つの平面で切断したような形状に形成された器体１１を備えている。器体１１には、図８（ａ）中の前面側の平面部に、規格化された電源プラグの栓刃が挿抜自在に挿入される栓刃挿入口１２ａを有するコンセント部６１ａが設けられ、器体１１内部には栓刃挿入口１２ａを通して挿入された栓刃を受ける刃受部材（図示せず）が配設されている。また器体１１の下面には棒状の突起部１３が突設されており、突起部１３の図８（ａ）中の左右両側面には、差込接続部１の接続用孔２ａ内に配置された一対のコンタクト３，３にそれぞれ電気的に接続される端子片１４，１４が配設されている。
【００３５】
この配線器具モジュール１０ａの突起部１３を接続用孔２ａ内に挿入すると、突起部１３に設けた端子片１４，１４がコンタクト３，３に電気的に接続され、器体１１内部に収納された刃受部材が電線４２に接続されるので、コンセント部６１ａに接続された負荷に対して電源を供給することができる。ここにおいて端子片１４，１４から、コンタクト３，３（ジャック側端子）にそれぞれ電気的に接続されるプラグ側端子が構成される。なお、突起部１３の長さは、接続用孔２ａの開口部からコンタクト４の上端位置までの距離よりも短い寸法に設定するのが好ましく、絶縁性を向上させることができる。また、図８に示すＡＣ１００Ｖ用の配線器具モジュール１０ａでは、矩形孔状の一対の栓刃挿入口１２ａを有するコンセント部６１ａを備えているが、コンセント部６１ａの形状は対応する電源や使用用途などの種別に応じて適宜変更すれば良い。例えば図７（ｄ）は抜止タイプのＡＣ１００Ｖ用コンセントからなる配線器具モジュール１０ｄを示し、この配線器具モジュール１０ｄでは、器体１１の上面（天井取付の場合の下面）に円弧状に開口する一対の栓刃挿入口１２ｂを有するコンセント部６１ｂを設けてある。
【００３６】
次に、通信系の配線器具モジュール１０について、図９に示すＬＡＮコンセント型の配線器具モジュール１０ｂを例に説明を行う。なお、コンセント部が異なる以外は他の通信系（例えば電話用など）の配線器具モジュール１０も同様の構成を有しているので、その説明は省略する。
【００３７】
配線器具モジュール１０ｂは、低背の円柱を平行する２つの平面で切断したような形状に形成された器体１１を備えている。器体１１は、図９（ａ）中の前面側の平面部に、規格化されたモジュラプラグ（例えばカテゴリ５のモジュラプラグ）が挿抜自在に挿入されるプラグ挿入口１２ｃを有するコンセント部６１ｃが設けられ、器体１１の内部にはプラグ挿入口１２ｃを通して挿入されたモジュラプラグのコンタクトに弾接する接触子（図示せず）が配設されている。また器体１１の下面には棒状の突起部１３が突設されており、突起部１３の前後両側面には、差込接続部１の接続用孔２ａ内に配置された８極のコンタクト４にそれぞれ電気的に接続される８個の端子片１５が配設されている。なお、端子片１５はコンタクト４に対応する位置に配設されるため、突起部１３の長さは少なくとも接続用孔２ａの開口端からコンセント４までの距離以上に設定されているが、電力系のコンタクト３は凹溝２ｂ内に配設されているので、配線器具モジュール１０ｂの突起部１３を接続用孔２ａ内に挿入した場合でもコンタクト３が配線器具モジュール１０ｂの突起部１３の表面に接触することはない。
【００３８】
この配線器具モジュール１０ｂの突起部１３を接続用孔２ａ内に挿入すると、突起部１３に設けた端子片１５がコンタクト４に電気的に接続されるので、器体１１内部に収納された接触子が電線４１に接続され、コンセント部６１ｃに接続された通信機器と電線４１との間で伝送信号が授受される。ここにおいて各端子片１５から、コンタクト４（ジャック側端子）にそれぞれ電気的に接続されるプラグ側端子が構成される。
【００３９】
また、映像系の配線器具モジュール１０について、図１０に示すＴＶコンセント型の配線器具モジュール１０ｃを例に説明を行う。なお、コンセント部が異なる以外は他の映像系の配線器具モジュール１０も同様の構成を有しているので、その説明は省略する。
【００４０】
配線器具モジュール１０ｃは、低背の円柱を平行する２つの平面で切断したような形状に形成された器体１１を備えている。器体１１の前面側の平面部には、例えばＦ型接栓よりなる同軸コネクタ１２ｄを有するコンセント部６１ｄが設けられ、器体１１の下面に突設された棒状の突起部１３の先端面には、差込接続部１の接続用孔２ａ内に配置された同軸コネクタ７に電気的に接続される同軸コネクタ１６が配設されている。なお、同軸コネクタ１６は、接続用孔２ａの底部に配設された同軸コネクタ７に接続可能な位置に配設されるため、突起部１３の長さは接続用孔２ａの開口端から同軸コネクタ７までの距離に合わせて設定されているが、電力系のコンタクト３は凹溝２ｂ内に配設されているので、配線器具モジュール１０ｃの突起部１３を接続用孔２ａ内に挿入した場合でもコンタクト３が配線器具モジュール１０ｃの突起部１３表面に接触することはない。
【００４１】
この配線器具モジュール１０ｃの突起部１３を接続用孔２ａ内に挿入すると、突起部１３に設けた同軸コネクタ１６が接続用孔２ａの底部に配設された同軸コネクタ７に電気的に接続されるので、コンセント部６１ｄに接続された映像機器と電線４３との間で映像信号が授受される。ここにおいて同軸コネクタ１６から、ジャック側端子を構成する同軸コネクタ７に電気的に接続されるプラグ側端子が構成される。
【００４２】
次に電子機器モジュール２０について説明する。尚、電子機器モジュール２０もその機能や用途などに応じて複数種類存在するが、差込接続部１に接続するための接続構造は同様であるので、煙感知器型の電子機器モジュール２０ｂについて図１１を参照して説明する。
【００４３】
煙感知器型の電子機器モジュール２０ｂは略円盤状に形成された器体２１を備え、器体２１の内部には、外部からの煙の進入を許容するとともに外光の入射を防止するラビリンス壁によって周囲を囲まれた煙感知室（図示せず）が設けられている。器体２１の周面には円周方向に沿って延びる複数の開口孔２２が形成され、開口孔２２の奥には防虫網２２ａが配設されており、さらにその奥にラビリンス壁が設けられている。また、器体２１の図１１（ａ）中の上面中央部には棒状の突起部２３が突設されており、突起部２３の左右両側面には、差込接続部１の接続用孔２ａ内に配置された一対のコンタクト３，３にそれぞれ電気的に接続される端子片２４，２４が配設されている。
【００４４】
この電子機器モジュール２０の突起部２３を接続用孔２ａ内に挿入すると、突起部１３に設けた端子片１４，１４がコンタクト３，３に電気的に接続され、器体１１内部の回路（ＡＣ／ＤＣコンバータ７１や搬送通信部７３など）が電線４２に接続されるので、ＡＣ／ＤＣコンバータ７１により内部の動作電源が生成されるとともに、搬送通信部７３が電線４２を介して外部との間で電力線通信を行うことができる。
【００４５】
ところで、電子機器モジュール２０の場合も、その機能や用途などに応じて複数種類存在し、図７（ｇ）に示すようなカメラ機能を有する電子機器モジュール２０ｃの場合には、器体２１の下面（天井取付の場合の下面）に透光カバー２６ａを配置し、この透光カバー２６ａに臨ませてＣＣＤカメラのような撮像素子を器体２１内部に収納すればよい。また図７（ｆ）に示すようなワイヤレス受信部としての機能を有する電子機器モジュール２０ｄの場合には、器体２１の下面に電波や光を媒体とするワイヤレス信号に対して透光性を有するカバー２６ｂを配置し、このカバー２６ｂに臨ませて、ワイヤレス通信部が備える受光素子又は発光素子を配設すれば良い。また電子機器モジュール２０として直流電源で動作するＬＥＤ照明タイプの電子機器モジュール２０ｅもあり、この電子機器モジュール２０ｅでは、図３に示すように天井材１０１の下面に上面が当接する円板状のフランジ２７の上面に上記の突起部２３が突設されている。また、フランジ２７の下面には連結棒２７ａを介して円筒形状の灯具本体２１ｃが吊下げ支持されており、灯具本体２１ｃの内部には上述の回路ブロックを構成する電子部品（ランプ（図示せず）を含む）が実装された回路基板が配置されている。
【００４６】
なお、これらの電子機器モジュール２０ｂ〜２０ｅでは、コンタクト３，３を介して供給される交流電源を動作電源とし、交流電圧に情報信号を重畳させることで搬送通信を行っているので、コンタクト３，３に接続される端子片２４，２４のみを設ければ良いが、外部との通信を電線４１を介して行う場合には、図１２に示すように端子片２４，２４に加えて、突起部２３の前後両側面に、差込接続部１に設けた８極のコンタクト４にそれぞれ電気的に接続される８個の端子片２５を設ければ良く、電線４２を介して動作電源を得るとともに、電線４１を介して情報信号の授受を行うことができる。
【００４７】
本発明に係る配線システムは以上のように構成されており、造営面に設けた複数の差込接続部１を定形化するとともに、差込接続部１に差込接続される配線器具モジュール１０或いは電子機器モジュール２０の差込部（突起部１３，２３）を定形化し、配線器具モジュール１０或いは電子機器モジュール２０を複数の差込接続部１のうちの何れにも選択的に差込接続可能としている。また、差込接続部１の複数のジャック側端子（コンタクト３，４および同軸コネクタ７）は、配線器具モジュール１０および電子機器モジュール２０で使用される電力および情報信号の伝送路を構成する複数系統の電線４１，４２，４３にそれぞれ電気的に接続されているので、配線器具モジュール１０または電子機器モジュール２０を、種類の違いに関わらず何れの差込接続部１にも差込接続して使用することができる。したがって、ユーザ自身が、所望の場所に設置された差込接続部１に、所望の種類の配線器具モジュール１０または電子機器モジュール２０を取り付けて使用することができる。
【００４８】
また、電力あるいは情報信号の種類毎にジャック側端子（コンタクト３，４および同軸コネクタ７）を異なる深さ位置に配置しているので、種類の異なるジャック側端子の間の絶縁性を向上させることができる。
【００４９】
また各配線器具モジュール１０は、用途毎に定形化された差込プラグが挿抜自在に接続されるプラグ接続部（コンセント部６１ａ〜６１ｄ）を備えているので、プラグ接続部に対応する差込プラグを接続して使用することができる。
【００５０】
また配線器具モジュール１０および電子機器モジュール２０の器体１１，２１に比べて突起部１３，２３を小さくすることで、突起部１３，２３が挿入される接続用孔２ａの大きさを小さくできるので、接続用孔２ａを部屋内で目立たないように設置できる。
【００５１】
また本実施形態ではジャック側端子として、ＬＡＮ用接続端子を構成するコンタクト４、同軸ケーブル用接続端子を構成する同軸コネクタ７、電力用接続端子を構成するコンタクト３を全て備えているが、コンセント３，４および同軸コネクタ７のうちの複数種類を備えるようにしても良く、ＬＡＮ用（通信系）、同軸ケーブル用（映像系）、又は電力用接続端子（電力系）のうちの複数種類の配線器具モジュールを実現することができる。なお、コンセント３，４および同軸コネクタ７の配置は上記の実施形態に限定されるものではなく、使用する電力および情報信号の種類等に合わせて配置位置や配列を適宜設定すれば良い。
【図面の簡単な説明】
【００５２】
【図１】本実施形態の配線システムに用いる配線器具モジュールを差込接続部に接続する前の状態を示した説明図である。
【図２】同上に用いる差込接続部および電子機器モジュールの使用状態の説明図である。
【図３】同上の配線システムの施工例を示す説明図である。
【図４】同上の配線システムの概略構成図である。
【図５】（ａ）は同上に用いる電子機器モジュールの概略的なブロック図、（ｂ）（ｃ）は電子機器モジュールの要部のブロック図である。
【図６】同上に用いる差込接続部を示し、（ａ）は平面図、（ｂ）は側断面図である。
【図７】（ａ）〜（ｇ）は同上に用いる配線器具モジュールおよび電子機器モジュールの斜視図である。
【図８】同上に用いる配線器具モジュールを示し、（ａ）は正面図、（ｂ）は右側面図、（ｃ）は上面図、（ｄ）は一部省略せる下面図である。
【図９】同上に用いる他の配線器具モジュールを示し、（ａ）は正面図、（ｂ）は右側面図、（ｃ）は上面図、（ｄ）は一部省略せる下面図である。
【図１０】同上に用いるまた別の配線器具モジュールを示し、（ａ）は正面図、（ｂ）は右側面図、（ｃ）は上面図、（ｄ）は一部省略せる下面図である。
【図１１】同上に用いる電子機器モジュールを示し、（ａ）は正面図、（ｂ）は上面図、（ｃ）は下面図である。
【図１２】同上に用いる電子機器モジュールの他の例を示し、（ａ）は正面図、（ｂ）は上面図、（ｃ）は下面図である。
【符号の説明】
【００５３】
１  差込接続部
２ａ  接続用孔
３，４  コンタクト（ジャック側端子）
７  同軸コネクタ（ジャック側端子）
１０ａ，１０ｂ，１０ｃ  配線器具モジュール
１３  突起部（差込部）
１４，１５  端子片（プラグ側端子）
１６  同軸コネクタ（プラグ側端子）
２０ｂ，２０ｃ，２０ｅ  電子機器モジュール
２３  突起部（差込部）
２４，２５  端子片（プラグ側端子）
１０１  天井材
１０２  床材
１０３  壁材
【図１】
2008270051.tif 000003
【図２】
2008270051.tif 000004
【図３】
2008270051.tif 000005
【図４】
2008270051.tif 000006
【図５】
2008270051.tif 000007
【図６】
2008270051.tif 000008
【図７】
2008270051.tif 000009
【図８】
2008270051.tif 000010
【図９】
2008270051.tif 000011
【図１０】
2008270051.tif 000012
【図１１】
2008270051.tif 000013
【図１２】
2008270051.tif 000014